(57)【要約】【課題】患者が痛みを感じることが少なく、患者の負担が少ない施術を行うことができる整体用ブロックを提供すること。【解決手段】患者Ｐの右肘Ｅの近傍を掴み、上腕Ｊを整体用ブロック１の上腕乗せ部１０に乗せる。そして、患者Ｐに右腕および右肩の力を抜いてもらうと、上腕Ｊは上腕転動部１１を転動し、上腕Ｊが自然と内旋した状態になる。内旋した上腕Ｊは上腕支持部１２によって支持される。【選択図】図１０
2019180863.tif 000002
【特許請求の範囲】
【請求項１】
台上で伏臥位になった患者に使用する整体用ブロックであって、
当該整体用ブロックを前記台上に載置するための載置面と、
前記載置面から上方に突出しており、当該整体用ブロックを前記台上に載置した際に前記患者の側胸部の側方に位置し、前記患者の肘を曲げた状態の上腕を乗せるための上腕乗せ部と、
当該整体用ブロックを前記台上に載置した際に、前記上腕乗せ部から前記患者の腋窩部の側方に向けて下り勾配に形成されており、前記上腕乗せ部に支持された前記上腕を山から谷に向けて転動させることにより、前記上腕を自然に内旋した状態にさせる上腕転動部と、
前記上腕転動部の前記谷から延出しており、前記上腕転動部を転動して内旋した状態の前記上腕を支持するための上腕支持部と、
を備えたことを特徴とする整体用ブロック。
【請求項２】
台上で伏臥位になった患者に使用する整体用ブロックであって、
当該整体用ブロックを前記台上に載置するための載置面と、
前記載置面から上方に突出しており、当該整体用ブロックを前記台上に載置した際に前記患者の頸部の側方に位置し、前記患者の肘を曲げた状態の上腕を乗せるための上腕乗せ部と、
当該整体用ブロックを前記台上に載置した際に、前記上腕乗せ部から前記患者の側胸部の側方に向けて下り勾配に形成されており、前記上腕乗せ部に支持された前記上腕を山から谷に向けて転動させることにより、前記上腕を自然に外旋した状態にさせる上腕転動部と、
前記上腕転動部の前記谷から延出しており、前記上腕転動部を転動して外旋した状態の前記上腕を支持するための上腕支持部と、
を備えたことを特徴とする整体用ブロック。
【請求項３】
前記上腕が前記上腕支持部によって支持された状態で、前記患者の前記側胸部に沿って前記台上を腰部の方向へ移動させることにより、前記患者の両肩を結ぶ線に対する前記上腕の角度を変更可能に構成されていることを特徴とする請求項１または請求項２に記載の整体用ブロック。
【請求項４】
前記上腕転動部のうち、少なくとも前記上腕が転動する部分は、合成皮革または天然皮革により形成されていることを特徴とする請求項１ないし請求項３のいずれか１項に記載の整体用ブロック。
【請求項５】
前記上腕支持部は、前記上腕転動部の前記谷に向けて下り勾配に形成されていることを特徴とする請求項１ないし請求項４のいずれか１項に記載の整体用ブロック。
【発明の詳細な説明】
【技術分野】
【０００１】
本発明は、患者を主として伏臥位の姿勢にして使用する整体用ブロックに関する。
【背景技術】
【０００２】
従来、骨盤のずれを矯正する整体用ブロックが知られている（特許文献１）。この整体用ブロックは、施術台の上で仰臥姿勢になった患者に使用するものであり、外方に凸の曲面に形成された施術面を有する。そして、その施術面を、患者の骨盤を構成している左右の腸骨のうち、一方の腸骨の腸骨稜近傍に、臀部の方から押し当てて使用する。
【先行技術文献】
【特許文献】
【０００３】
【特許文献１】特開２０１１−０４１７６８号公報
【発明の概要】
【発明が解決しようとする課題】
【０００４】
従来、患者の筋肉の緊張や精神的な緊張をほぐすために行う整体が知られている。この種の整体では、患者の体を指圧したり、頸部、上肢、腰部および下肢などを捻ったりする際に、患者が痛みを感じることが多く、患者の負担が大きかった。
そこで、本願発明者は、鋭意研究の結果、患者の負担が小さく、患者の筋肉の緊張や精神的な緊張をほぐすことができる施術を開発した。この施術は、伏臥位になった患者の上腕を内旋または外旋させた状態で行うが、患者が伏臥位の状態で自身の上腕を上手く内旋または外旋させることができないことがあった。また、患者が内旋または外旋という意味を理解し難い場合に、上腕を上手く内旋または外旋させることが難しいこともあった。さらに、内旋または外旋した上腕が施術中に内旋または外旋する前の状態に戻ってしまうこともあった。
【０００５】
そこで、本発明は、上述した諸問題を解決するために創出されたものであって、伏臥位になった患者の上腕を自然と内旋または外旋させることができ、かつ、上腕が内旋または外旋した状態を維持することができる整体用ブロックを提供することを目的とする。
【課題を解決するための手段】
【０００６】
上述した目的を達成するため、本願の請求項１に係る発明は、
台（６０）上で伏臥位になった患者（Ｐ）に使用する整体用ブロック（１）であって、
当該整体用ブロックを前記台上に載置するための載置面（１８）と、
前記載置面から上方に突出しており、当該整体用ブロックを前記台上に載置した際に前記患者の側胸部（Ｂ）の側方に位置し、前記患者の肘（Ｅ）を曲げた状態の上腕（Ｊ）を乗せるための上腕乗せ部（１０）と、
当該整体用ブロックを前記台上に載置した際に、前記上腕乗せ部から前記患者の腋窩部（Ｓ）の側方に向けて下り勾配に形成されており、前記上腕乗せ部に支持された前記上腕を山（１１ａ）から谷（１１ｂ）に向けて転動させることにより、前記上腕を自然に内旋した状態にさせる上腕転動部（１１）と、
前記上腕転動部の前記谷から延出しており、前記上腕転動部を転動して内旋した状態の前記上腕を支持するための上腕支持部（１２）と、
を備えたという技術的手段を有する。
【０００７】
また、本願の請求項２に係る発明は、
台（６０）上で伏臥位になった患者（Ｐ）に使用する整体用ブロック（１）であって、
当該整体用ブロックを前記台上に載置するための載置面（１８）と、
前記載置面から上方に突出しており、当該整体用ブロックを前記台上に載置した際に前記患者の頸部（Ｎ）の側方に位置し、前記患者の肘（Ｅ）を曲げた状態の上腕（Ｊ）を乗せるための上腕乗せ部（１０）と、
当該整体用ブロックを前記台上に載置した際に、前記上腕乗せ部から前記患者の側胸部の側方に向けて下り勾配に形成されており、前記上腕乗せ部に支持された前記上腕を山（１１ａ）から谷（１１ｂ）に向けて転動させることにより、前記上腕を自然に外旋した状態にさせる上腕転動部（１１）と、
前記上腕転動部の前記谷から延出しており、前記上腕転動部を転動して外旋した状態の前記上腕を支持するための上腕支持部（１２）と、
を備えたという技術的手段を有する。
【０００８】
また、本願の請求項３に係る発明は、請求項１または請求項２に記載の整体用ブロック（１）において、
前記上腕（Ｊ）が前記上腕支持部（１２）によって支持された状態で、前記患者（Ｐ）の前記側胸部（Ｂ）に沿って前記台上を腰部（Ｗ）の方向へ移動させることにより、前記患者の両肩を結ぶ線（Ｌ１）に対する前記上腕の角度（θ）を変更可能に構成されているという技術的手段を有する。
【０００９】
また、本願の請求項４に係る発明は、請求項１ないし請求項３のいずれか１項に記載の整体用ブロック（１）において、
前記上腕転動部（１１）のうち、少なくとも前記上腕（Ｊ）が転動する部分は、合成皮革または天然皮革により形成されているという技術的手段を有する。
【００１０】
さらに、本願の請求項５に係る発明は、請求項１ないし請求項４のいずれか１項に記載の整体用ブロック（１）において、
前記上腕支持部（１０）は、前記上腕転動部（１１）の前記谷（１１ｂ）に向けて下り勾配に形成されているという技術的手段を有する。
なお、上記各括弧内の各符号は、後述する実施形態との対応関係を示すものであり、本願発明の権利範囲を制限するものではない。
【発明の効果】
【００１１】
（請求項１に係る発明の作用）
整体用ブロックを台上に載置するときは、上腕乗せ部が患者の側胸部の側方に位置し、上腕転動部が患者の腋窩部の側方に向けて下り勾配となるようにする。そして、患者に対して整体用の施術を行う者（以下、施術者という）が、患者の肘を曲げた状態の上腕を上腕乗せ部に乗せ、その後、患者が上腕および肩の力を抜くと、上腕が上腕乗せ部から上腕転動部の谷に向けて転動し、上腕が自然に内旋した状態になる。そして、内旋した上腕は、上腕支持部によって支持される。
（請求項１に係る発明の効果）
伏臥位になった患者の上腕を自然と内旋させることができ、かつ、上腕が内旋した状態を維持することができる整体用ブロックを提供することができる。
【００１２】
（請求項２に係る発明の作用）
整体用ブロックを台上に載置するときは、上腕乗せ部が患者の頸部の側方に位置し、上腕転動部が患者の側胸部の側方に向けて下り勾配となるようにする。そして、施術者が、患者の肘を曲げた状態の上腕を上腕乗せ部に乗せ、その後、患者が上腕および肩の力を抜くと、上腕が上腕乗せ部から上腕転動部の谷に向けて転動し、上腕が自然に外旋した状態になる。そして、外旋した上腕は、上腕支持部によって支持される。
（請求項２に係る発明の効果）
伏臥位になった患者の上腕を自然と外旋させることができ、かつ、上腕が外旋した状態を維持することができる整体用ブロックを提供することができる。
【００１３】
（請求項３に係る発明の効果）
本願の請求項３に係る発明を実施すれば、上腕転動部のうち、少なくとも上腕が転動する部分は、合成皮革または天然皮革により形成されているため、上腕と上腕転動部との摩擦を大きくすることができる。
したがって、上腕が上腕転動部を滑り落ちないようにすることができるため、上腕を転動させて確実に内旋または外旋させることができる。
【００１４】
（請求項４に係る発明の効果）
本願の請求項４に係る発明を実施すれば、上腕支持部は、上腕転動部の谷に向けて下り勾配に形成されているため、上腕を上腕支持部から動かないように安定した状態で支持することができる。
【図面の簡単な説明】
【００１５】
【図１】本発明の実施形態に係る整体用ブロックの左側面図である。
【図２】図１に示す整体用ブロックの正面図である。
【図３】図１に示す整体用ブロックの背面図である。
【図４】図１に示す整体用ブロックの平面図である。
【図５】図１に示す整体用ブロックの底面図である。
【図６】図１に示す整体用ブロックを正面の左斜め上方から見た斜視図である。
【図７】図４に示す整体用ブロックのＡ−Ａ矢視断面図である。
【図８】本発明の実施形態において使用する補助ブロックの平面図である。
【図９】図８に示す補助ブロックの左側面図である。
【図１０】本発明の実施形態に係る整体用ブロックの使用方法を説明する説明図であって、上腕が内旋する前の状態を示す。
【図１１】本発明の実施形態に係る整体用ブロックの使用方法を説明する説明図であって、上腕が内旋した状態を示す。
【図１２】上腕が内旋する過程を示す模式図であり、（ａ）は上腕が内旋する前の状態を示し、（ｂ）は上腕が内旋した状態を示す。
【図１３】上腕が外旋する過程を示す模式図であり、（ａ）は上腕が外旋する前の状態を示し、（ｂ）は上腕が外旋した状態を示す。
【発明を実施するための形態】
【００１６】
本発明の実施形態に係る整体用ブロックについて図を参照しつつ説明する。
［整体用ブロックの構造］
図１ないし図６に示すように、本実施形態の整体用ブロック１は、施術者が、施術台６０の上で伏臥位になった患者Ｐ（図１０，図１１）に整体用の施術を行う際に使用する整体用ブロックである。整体用ブロック１は、整体用ブロック１を施術台６０（図１０，図１１）の上に載置するための載置面１８（図５）と、載置面１８から上方に突出した上腕乗せ部１０（図１〜図４，図６）と、上腕乗せ部１０から患者Ｐの腋窩部Ｓ（図１０）の側方に向けて下り勾配に形成された上腕転動部１１（図１〜図４，図６）と、上腕転動部１１の谷１１ｂから延出した上腕支持部１２（図１，図４，図６）とを備える。なお、施術台６０が本発明の台の一例である。施術台６０は、整体院で用いる専用の台以外のベッドなどでも良い。
【００１７】
図５に示すように、整体用ブロック１の載置面１８は、縦長の矩形の平面に形成されている。詳しくは、図１０に示すように、載置面１８は、整体用ブロック１を施術台６０の上で伏臥位になった患者Ｐの体側近傍に載置したときに、長辺１８ａ（図５）が体側に沿った状態となるように形成されている。上腕乗せ部１０は、山形に形成されており、患者Ｐの右肘Ｅ（図１０）を曲げた状態の上腕Ｊを乗せることができる形状および大きさに形成されている。本実施形態では、上腕乗せ部１０は、上方に円弧状に膨らんだ丸みを帯びた形状に形成されているため、患者Ｐは、上腕Ｊが上腕乗せ部１０に乗った際に上腕Ｊに痛みを感じない。
【００１８】
上腕転動部１１は、上腕乗せ部１０に支持された上腕Ｊを山１１ａ（図１，図６）から谷１１ｂに向けて転動させることにより、上腕Ｊが自然に内旋した状態になるように形成されている。詳しくは、上腕転動部１１は、平面から見て略矩形で略平面状に形成されている（図４）。また、上腕転動部１１は、上腕乗せ部１０と連続形成されており、載置面１８に対して略４５度の下り勾配を有する。また、上腕転動部１１の山１１ａから谷１１ｂまでの長さは、内旋していない状態の上腕Ｊが、山１１ａから谷１１ｂまで転動することにより、自然と内旋した状態になる長さに設定されている。本実施形態では、上腕乗せ部１０および上腕転動部１１から成る部分は、先端が尖った一般的な四角錐ではなく、四角錐の頂部を、上方に膨らんだ円弧状に形成した形状を呈している。
【００１９】
上腕支持部１２は、上腕転動部１１を転動して内旋した状態の上腕Ｊを支持するためのものであり、上腕Ｊを支持することができる大きさに形成されている。詳しくは、上腕転動部１１は、平面から見て略矩形で略平面状に形成されている。また、上腕支持部１２は、上腕転動部１１の谷１１ｂから患者Ｐの腋窩部Ｓの側方に向けて連続形成されている。また、上腕支持部１２は、腋窩部Ｓの側方から上腕転動部１１の谷１１ｂに向けて下り勾配に形成されている。つまり、上腕支持部１２は、腋窩部Ｓの側方に位置する山１２ａから谷１２ｂに向けて下り勾配に形成されている。これにより、上腕支持部１２に支持された上腕Ｊが、上腕支持部１２の山１２ａの方へ移動することなく、安定した状態で支持することができる。また、上腕転動部１１の谷１１ｂと、上腕支持部１２の谷１２ｂとの境界部分は、縦断面が下向きの円弧状に形成されており、内旋した上腕Ｊの外周面がフィットする形状に形成されている。これにより、上腕Ｊを内旋した状態で支持することができる。また、患者Ｐは、上腕支持部１２によって支持されている部分に痛みを感じない。
【００２０】
また、図１および図３に示すように、整体用ブロック１の背面部１４は、背面から見て略矩形で略平面状に形成されている。また、背面部１４は、載置面１８に対して略９０度の角度を成している。背面部１４と上腕乗せ部１０との境界には、円弧部１３が形成されている。また、図１および図２に示すように、上腕支持部１２と載置面１８との間に形成された正面部１５は、正面から見て略矩形で略平面状に形成されており、載置面１８に対して略９０度の角度を成している。また、上腕支持部１２と正面部１５との境界である境界部１２ｃは、Ｒに形成されており、丸みを帯びている。このように、整体用ブロック１のうち、載置面１８から上方の部分には、尖った部分が存在しないため、整体用ブロック１が患者Ｐに当接した際に、患者Ｐが痛みを感じることがない。
【００２１】
左側部１６および右側部１７は、それぞれ側面から見て略平面状に形成されている。左側部１６および右側部１７のうち、背面部１４に近く、かつ、載置面１８に近い部分には、整体用ブロック１を操作したり移動させたりする際に、手で掴むためのバンド３０が取付けられている。図４および図５に示すように、バンド３０は、平面から見て略逆Ｕ字形状に形成されており、その両端３１，３１は、それぞれ留め具３２によって左側部１６および右側部１７に固定されている。本実施形態では、留め具３２は金属製であり、丸皿形状の頭部と、その頭部の裏面から突出したピンとを有する画鋲形状に形成されている。
【００２２】
図７に示すように、整体用ブロック１は、芯材４０と、この芯材４０の周面を被覆するカバー４１と、ベース板４２と、留め具固定部材４３とを備える。芯材４０は、整体用ブロック１の形状を形作っている部分であり、弾性を有する合成樹脂により形成されている。この実施形態では、芯材４０は、硬質ウレタンにより形成されている。カバー４１は、合成皮革（たとえば、ポリ塩化ビニールやポリウレタン樹脂などを使った合成皮革）、または、天然皮革など、患者の上腕Ｊを覆う衣服、または、上腕Ｊの皮膚との摩擦が大きい材料により形成されている。これにより、患者Ｐの上腕Ｊが上腕転動部１１の山１１ａから谷１１ｂへ移動する際に、転動しないで滑り落ちないようにすることができる。したがって、上腕Ｊを確実に転動させることができるため、上腕Ｊを自然と内旋させることができる。
ベース板４２は、上腕乗せ部１０、上腕転動部１１および上腕支持部１２を支持する部分であり、その底面から見た面積は、載置面１８と略同等である。ベース板４２は、硬質材料により形成されている。本実施形態では、ベース板４２は、ベニヤにより形成されている。留め具固定部材４３は、バンド３０を固定するための留め具３２を固定するためのものであり、左側部１６の内面から右側部１７の内面に達する幅を有する。各留め具３２の各ピンは、留め具固定部材４３に打ち込まれている。
【００２３】
［補助ブロックの構造］
図８および図９に示す本実施形態の補助ブロック５０は、患者Ｐに対して整体用ブロック１の補助として使用するものである。補助ブロック５０は、略楔形状に形成されている。補助ブロック５０は、平面部５１と、載置面５２と、正面部５３と、背面部５４と、バンド５７とを備える。平面部５１は、上方に緩やかに円弧状に膨らんだ形状に形成されており、正面部５３は、背面から正面に向けて円弧状に膨らんだ丸みを帯びた形状に形成されている。背面部５４は背面から見て略平面に形成されており、載置面５２と略９０度を成している。左側部５５および右側部５６は、それぞれ側面から見て略楔形状に形成されている。このように、補助ブロック５０は、薄型の楔形状に形成されており、患者Ｐと施術台６０との間に挿入し易く、かつ、挿入した際に患者Ｐが痛みを感じないように形成されている。左側部５５および右側部５６のうち、背面部５４に近い部分には、補助ブロック５０を操作したり移動させたりする際に、手で掴むためのバンド５７が取付けられている。図８に示すように、バンド５７は、平面から見て略逆Ｕ字形状に形成されており、その両端５８，５８は、それぞれ留め具５９によって左側部５５および右側部５６に固定されている。
図示しないが、補助ブロック５０も整体用ブロック１と同様に、芯材と、この芯材の周面を被覆するカバーと、ベース板と、留め具固定部材とを備える。この実施形態では、芯材は硬質材料により形成されており、カバーは、合成皮革（たとえば、ポリ塩化ビニールやポリウレタン樹脂などを使った合成皮革）、または、天然皮革により形成されている。ベース板はベニヤにより形成されており、留め具固定部材は木材により形成されている。
【００２４】
［整体用ブロックの使用方法］
（手順１）図１０および図１１に示すように、施術台６０の上面６１には、毛布などの敷物７１が敷かれている。なお、敷物７１は必ずしも敷く必要はない。
また、施術台６０の前端からは、患者Ｐの頭部を支持するための頭部支持体６２が突出している。頭部支持体６２には、患者Ｐの下向きになった顔を嵌め込むための穴が上下方向に貫通形成されている。
先ず、図１０に示すように、患者Ｐに、施術台６０の上面６１に伏臥位（うつ伏せ）の姿勢で寝てもらう。このとき、患者Ｐの頭部は頭部支持体６２によって支持され、患者Ｐの下向きになった顔は、頭部支持体６２の穴に嵌め込まれる。図１０では、タオル７０が頭部支持体６２と顔との間に介在されている。なお、タオル７０は必ずしも介在させる必要はない。
図１０は、整体用ブロック１が施術台６０の上にセットされた状態を示すが、整体用ブロック１をセットする前に、患者Ｐの両腕の肘から下の部分が施術台６０から下方に垂れ下がった状態にする。つまり、両腕の各上腕がそれぞれ上面６１にて肩から水平に延びており、肘から下の部分が下方に垂れ下がった状態にする。そして、施術者は、患者Ｐの肩、背、腰、大腿、膝窩、下腿、足底などを押圧し、全身の緊張状態、つまり、筋肉のこわばりをチェックする。このチェックは、患者Ｐを押圧したときに患者Ｐが圧痛を感じるか否かに基づいて行う。このとき、患者Ｐが圧痛を感じた圧痛点を探しておくと、施術後に変化（施術の効果）を確認し易い。
【００２５】
（手順２）次に、補助ブロック５０を右の鎖骨の下に差し込む。詳しくは、載置面５２を下にした状態の補助ブロック５０を正面部５３から右肩と施術台６０の上面６１との間に差し込み、平面部５１が右の鎖骨の下になった状態にする（図１１）。このように補助ブロック５０を右の鎖骨の下に差し込むことにより、右肩が頭部の方向へずれて行かないようにすることができる。
【００２６】
（手順３）次に、図１０に示すように、施術台６０の上面６１のうち、患者Ｐの右側の体側の近傍に整体用ブロック１を載置する。このとき、整体用ブロック１の上腕乗せ部１０が右側の体側の近傍に位置し、境界部１２ｃが右肩の肩峰部Ｋの上端（図では前端）のラインと略一致し、さらに、右側部１６が右側の体側と略平行となるように整体用ブロック１の配置位置を調整する。
【００２７】
（手順４）次に、図１０に示すように、左手で患者Ｐの右腕の右肘Ｅの近傍を掴んで持ち上げ、その右肘Ｅの近傍部分を整体用ブロック１の上腕乗せ部１０に乗せる。続いて、患者Ｐに右腕および右肩の力を抜いてもらうと、上腕Ｊが上腕転動部１１の山１１ａ（図１，図６）から谷１１ｂに向けて転動し、上腕Ｊが自然と内旋する。また、上腕Ｊが転動を開始しない場合は、施術者が右肘Ｅの近傍を上腕転動部１１の山１１ａの方に押し、上腕Ｊが転動するように補助する。
図１２は、上腕Ｊが内旋する過程を示す模式図であり、（ａ）は上腕Ｊが内旋する前の状態を示し、（ｂ）は上腕Ｊが内旋した状態を示す。上腕乗せ部１０によって支持されていた上腕Ｊは、患者Ｐが右腕および右肩の力を抜くと、図１２（ａ）に示すように、矢印Ｆ１で示す方向に転動しながら上腕転動部１１の山１１ａ（図１）から谷１１ｂに向けて移動し、上腕Ｊは自然と内旋した状態になる。そして、図１１および図１２（ｂ）に示すように、内旋した上腕Ｊは上腕支持部１２によって支持された状態になる。上腕支持部１２によって支持された上腕Ｊは、上腕転動部１１の谷１１ｂに当接し、かつ、上腕支持部１２は、山１２ａから谷１２ｂに向けて下り勾配になっているため、上腕Ｊが内旋した状態を維持することができる。
このように、施術者は、患者Ｐの上腕Ｊを上腕乗せ部１０に乗せた後は、患者Ｐに右腕および右肩の力を抜いてもらい、上腕Ｊの右肘Ｅの近傍を掴んでいた手を離すだけで、上腕Ｊを上腕転動部１１の山１１ａから谷１１ｂに転動させて自然と内旋した状態にすることができる。また、患者Ｐの右腕は、上腕Ｊが内旋した状態で略水平の状態になる。これにより、患者Ｐの主に全身の表層の筋肉の緊張が取れ、リラックスした状態になる。
【００２８】
（手順５）続いて、上腕Ｊが右肩から水平に延びた状態からあまり変化しないように、整体用ブロック１を少し前後に移動させることによって右肘Ｅの位置を移動させ、患者Ｐが一番、筋肉の緊張が取れて圧痛が無くなる位置を探す。具体的には、前述した（１）の段階において、患者の圧痛点を確認している場合は、その圧痛点を再度押圧しながら、圧痛が一番取れる位置を探す。そして、圧痛が一番取れた位置が見付かったときに整体用ブロック１の移動を止める。
このように、整体用ブロック１を移動させ、患者Ｐが一番、筋肉の緊張が取れて圧痛が一番取れる位置を探しながら患者Ｐの内旋した上腕Ｊを移動する。
そして、患者Ｐの全身を左右に優しく揺らしながら、緊張している箇所を順番に手掌で軽く触れて行く。たとえば、患者Ｐの仙骨部分に手を当てて、カラダを横方向に揺らす。なお、揺らし方はリズムさえ合っていれば、どのような揺らし方でも良い。
このように、全身を揺らしながら、緊張している箇所を順番に手掌で軽く触れて行くことにより、圧痛が取れた状態を脳に記憶させて定着させることができる。つまり、患者Ｐの全身の表層の筋肉の緊張がより一層取れ、リラックスした状態にすることができる。また、患者Ｐの体液の循環を良くすることもできる。
【００２９】
（手順６）図１１において、破線Ｌ１で示す線は、患者Ｐの両肩を結ぶ肩ラインであり、破線Ｌ２で示す線は、患者Ｐの頭部Ｈの中心と腰部Ｗの中心とを結ぶ中心線であり、肩ラインＬ１および中心線Ｌ２は直交している。破線Ｌ３で示す線は、患者Ｐの右肘Ｅと右肩の肩峰部Ｋとを結ぶライン、つまり、上腕Ｊの延びる方向を示す上腕ラインである。
上腕ラインＬ３と肩ラインＬ１とが成す角度θが、４５〜３０度の範囲になるように整体用ブロック１を移動させる。これにより、患者Ｐの全身の深部の筋肉（いわゆる、インナーマッスル）の緊張が取れる。さらに、頭部や腹部の緊張が取れる。
そして、患者Ｐの全身を左右に優しく揺らしながら、緊張している箇所を順番に触って行く。たとえば、患者Ｐの仙骨部分に手を当てて、カラダを横方向に揺らす。なお、揺らし方はリズムさえ合っていれば、どのような揺らし方でも良い。このように、全身を揺らしながら、緊張している箇所を手掌で軽く触れて行くことにより、圧痛が取れた状態を脳に記憶させて定着させることができる。つまり、患者Ｐの全身の深部の筋肉、さらには、頭部や腹部の緊張がより一層取れ、リラックスした状態にすることができる。また、患者Ｐの体液の循環を良くすることもできる。
【００３０】
［実施形態の効果］
（１）上述した実施形態の整体用ブロック１を実施すれば、上腕乗せ部１０に乗せた上腕Ｊを上腕転動部１１の山１１ａから谷１１ｂに向けて転動させることにより、上腕Ｊが自然に内旋した状態にすることができる。
したがって、患者Ｐは、自ら上腕Ｊを意識的に内旋させる必要がないため、患者Ｐは、上腕Ｊをどうやって内旋させるのかを考える必要がない。さらに、患者Ｐが上腕Ｊの内旋について理解し難い場合であっても、患者Ｐに上腕Ｊおよび肩の力を抜いてもらうだけで上腕Ｊを自然と内旋させることができるため、広い患者層に適用することができる。
【００３１】
（２）しかも、内旋した上腕Ｊを上腕支持部１２によって支持することができるため、上腕Ｊを支持した状態で整体用ブロック１を移動させても、上腕Ｊが内旋した状態を維持することができる。
【００３２】
（３）また、整体用ブロック１によって上腕Ｊを支持した状態で整体用ブロック１を移動させ、患者Ｐが圧痛を一番感じない位置に整体用ブロック１を移動した後に、患者Ｐを押圧したり手掌で軽く触れたりすることにより、患者Ｐの筋肉の緊張をほぐし、リラックスした状態にすることができる。
【００３３】
（４）さらに、上述した実施形態の整体用ブロック１を実施すれば、上腕転動部１１のうち、少なくとも上腕Ｊが転動する部分は、合成皮革または天然皮革により形成されているため、上腕Ｊと上腕転動部１１のうち、少なくとも上腕Ｊが転動する部分との摩擦を大きくすることができる。
したがって、上腕Ｊが上腕転動部１１を転動しないで滑り落ちないようにすることができるため、上腕Ｊを転動させて確実に内旋させることができる。
【００３４】
（５）さらに、上述した実施形態の整体用ブロック１を実施すれば、上腕支持部１２は、上腕転動部１１の谷１１ｂに向けて下り勾配に形成されているため、上腕Ｊを上腕支持部１２から動かないように安定した状態で支持することができる。
【００３５】
〈他の実施形態〉
（１）本発明の整体用ブロック１は、上腕を外旋した状態にするために使用することもできる。図１３は、上腕が外旋する過程を示す模式図であり、（ａ）は上腕が外旋する前の状態を示し、（ｂ）は上腕が外旋した状態を示す。本実施形態の整体用ブロック１が備える上腕乗せ部１０は、患者Ｐの頸部右側の側方に位置し、上腕転動部１１が患者の側胸部の側方に向けて下り勾配となるように施術台６０の上面６１に載置される。
そして、施術者が患者Ｐの右腕の肘を掴んで持ち上げ、その右腕の上腕Ｊの肘近傍の部分を整体用ブロック１の上腕乗せ部１０に乗せる。続いて、患者Ｐに右腕および右肩の力を抜いてもらうと、図１３（ａ）に示すように、上腕Ｊが上腕転動部１１の山１１ａ（図１，図６）から谷１１ｂに向けて、矢印Ｆ２で示す方向に転動し、上腕Ｊが自然と外旋する。整体用ブロック１の基本的な使用方法は、前述した実施形態の使用方法と同じである。
【００３６】
このように、上腕Ｊを外旋させて施術を行うことにより、上腕Ｊを内旋させて施術を行う場合と略同等の効果が期待できる。
【００３７】
（２）前述の各実施形態では、整体用ブロック１を使用して患者Ｐの右腕を内旋または外旋させる場合について説明したが、整体用ブロック１を使用して患者Ｐの左腕を内旋または外旋させることもできる。
（３）また、本発明の整体用ブロックは、上腕を内旋または外旋した状態にする目的で使用する他、上腕または前腕を支持する目的で使用することもできる。さらに、大腿、膝窩および下腿などを支持する目的で使用することもできる。
【符号の説明】
【００３８】
１    整体用ブロック
１０    上腕乗せ部
１１    上腕転動部
１１ａ  山
１１ｂ  谷
１２    上腕支持部
１２ａ  山
１２ｂ  谷
３０    バンド
５０    補助ブロック
６０    施術台
６１    上面
Ｂ    側胸部
Ｅ    右肘
Ｊ    上腕
Ｋ    肩峰部
Ｎ    頸部
Ｐ    患者
Ｓ    腋窩部
Ｗ    腰部
【図１】
2019180863.tif 000003
【図２】
2019180863.tif 000004
【図３】
2019180863.tif 000005
【図４】
2019180863.tif 000006
【図５】
2019180863.tif 000007
【図６】
2019180863.tif 000008
【図７】
2019180863.tif 000009
【図８】
2019180863.tif 000010
【図９】
2019180863.tif 000011
【図１０】
2019180863.tif 000012
【図１１】
2019180863.tif 000013
【図１２】
2019180863.tif 000014
【図１３】
2019180863.tif 000015